(57)【要約】【課題】キッチンカウンタに食器洗い機をビルトインしても、隣接して設けられた台所設備と統一感を持たせると共に、排気口の存在が目立つことがなく、意匠性に優れた食器洗い機を提供する。【解決手段】食器洗い機は、前面が開口された外郭を形成する筐体と、筐体の開口を覆う前面扉と、筐体の開口から内部へ出し入れ自在に設けられた洗浄槽と、洗浄槽内の空気を筐体の外部へ排気するための排気口を有する排気経路部と、を備えている。前面扉は、前面に上下方向に隙間を有して並列させて配置した少なくとも２枚の化粧パネルを有しており、上下に隣接する化粧パネルのうち、少なくとも一組の化粧パネル間に排気経路部の排気口が設けられている。【選択図】図１
2020080921.tif 000002
【特許請求の範囲】
【請求項１】
前面が開口された外郭を形成する筐体と、
前記筐体の開口を覆う前面扉と、
前記筐体の開口から内部へ出し入れ自在に設けられた洗浄槽と、
前記洗浄槽内の空気を前記筐体の外部へ排気するための排気口を有する排気経路部と、を備え、
前記前面扉は、前面に上下方向に隙間を有して並列させて配置した少なくとも２枚の化粧パネルを有しており、上下に隣接する前記化粧パネルのうち、少なくとも一組の前記化粧パネル間に前記排気経路部の前記排気口が設けられている、食器洗い機。
【請求項２】
前記排気口は、上下に隣接する前記化粧パネル間に形成された隙間に収まる範囲に設けられている、請求項１に記載の食器洗い機。
【請求項３】
前記排気口には、上下に隣接する前記化粧パネルのうち、少なくとも一方の端面が突き当たり、前記化粧パネル間に形成された隙間の間隔を調整する間隔調整部が設けられている、請求項２に記載の食器洗い機。
【請求項４】
前記間隔調整部は、前記化粧パネルの端面に向かって突き出す突起である、請求項３に記載の食器洗い機。
【請求項５】
前記排気口は、前記化粧パネルよりも前方へ突き出している、請求項１に記載の食器洗い機。
【発明の詳細な説明】
【技術分野】
【０００１】
本発明は、ビルトイン型の食器洗い機に関するものである。
【背景技術】
【０００２】
従来、システムキッチンを構成するキッチンカウンタにビルトインされた状態で使用される食器洗い機が知られている。食器洗い機は、例えば前面が開口された筐体と、筐体の開口を覆う前面扉と、筐体の開口から内部へ出し入れ自在に設けられた洗浄槽と、洗浄槽内の空気を筐体の外部へ排気するための排気経路部と、を備えている。前面扉には、前面に化粧パネルが設けられている。例えば特許文献１に開示された食器洗い機では、前面扉の上部端面に沿って、排気経路の排気口が設けられている。
【先行技術文献】
【特許文献】
【０００３】
【特許文献１】特開２０１５−１４６９３７号公報
【発明の概要】
【発明が解決しようとする課題】
【０００４】
ビルトイン型の食器洗い機では、システムキッチンを構成するキャビネット、ガスコンロ又はＩＨクッキングヒータ等の台所設備が隣接して設置されている。食器洗い機は、前面扉の化粧パネルが、台所設備に設けられた横方向の区画ラインに合わないと、統一感を有さず、意匠性を損なう。更に、特許文献１の食器洗い機では、洗浄槽を引き出した際に、排気口が露出してしまい、意匠性を損なうおそれがある。また、特許文献１の食器洗い機では、必要な風量を確保して乾燥性能を向上させるために、前面扉の上部端面と筐体との間に十分な隙間を形成する必要があるため、無駄な空間が生じてしまい、意匠性を損なうおそれがある。
【０００５】
本発明は、上記のような課題を解決するためになされたもので、キッチンカウンタのような住宅設備に食器洗い機をビルトインしても、隣接して設けられた設備と統一感を持たせると共に、排気口の存在が目立つことがなく、意匠性に優れた食器洗い機を提供することを目的とする。
【課題を解決するための手段】
【０００６】
本発明に係る食器洗い機は、前面が開口された外郭を形成する筐体と、前記筐体の開口を覆う前面扉と、前記筐体の開口から内部へ出し入れ自在に設けられた洗浄槽と、前記洗浄槽内の空気を前記筐体の外部へ排気するための排気口を有する排気経路部と、を備え、前記前面扉は、前面に上下方向に隙間を有して並列させて配置した少なくとも２枚の化粧パネルを有しており、上下に隣接する前記化粧パネルのうち、少なくとも一組の前記化粧パネル間に前記排気経路部の前記排気口が設けられているものである。
【発明の効果】
【０００７】
本発明によれば、前面扉が上下方向に並列させて配置した少なくとも２枚の化粧パネルを有しているので、上下に隣接する化粧パネル間に形成された隙間のラインを利用して、食器洗い機に隣接する設備が区画ラインを有している場合に、そのラインを一致させて統一感を持たせることができる。また、上下に隣接する化粧パネルのうち、少なくとも一組の化粧パネル間に排気経路部の排気口が設けられているので、洗浄槽を引き出した際に、排気口の存在が目立つことがないし、前面扉に排気口のためだけの空間を設ける必要もない。よって、キッチンカウンタに食器洗い機をビルトインしても、隣接して設けられた設備と統一感を持たせることができ、且つ排気口の存在が目立つことがないので、意匠性に優れている。
【図面の簡単な説明】
【０００８】
【図１】本発明の実施の形態に係る食器洗い機がビルトインされたキッチンカウンタの斜視図である。
【図２】本発明の実施の形態に係る食器洗い機がビルトインされたキッチンカウンタであって、洗浄槽を引き出した状態を示した斜視図である。
【図３】本発明の実施の形態に係る食器洗い機を示した斜視図である。
【図４】本発明の実施の形態に係る食器洗い機であって、洗浄槽を引き出した状態を示した斜視図である。
【図５】本発明の実施の形態に係る食器洗い機の概略構成を右側方から示した断面図である。
【図６】本発明の実施の形態に係る食器洗い機の排気経路部を示した斜視図である。
【図７】本発明の実施の形態に係る食器洗い機の要部を拡大して示した断面図である。
【図８】本発明の実施の形態に係る食器洗い機の変形例１の要部を拡大して示した断面図である。
【図９】本発明の実施の形態に係る食器洗い機の変形例２の要部を拡大して示した断面図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態．
図１は、本発明の実施の形態に係る食器洗い機がビルトインされたキッチンカウンタの斜視図である。図２は、本発明の実施の形態に係る食器洗い機がビルトインされたキッチンカウンタであって、洗浄槽を引き出した状態を示した斜視図である。図３は、本発明の実施の形態に係る食器洗い機を示した斜視図である。図４は、本発明の実施の形態に係る食器洗い機であって、洗浄槽を引き出した状態を示した斜視図である。図５は、本発明の実施の形態に係る食器洗い機の概略構成を右側方から示した断面図である。図６は、本発明の実施の形態に係る食器洗い機の排気経路部を示した斜視図である。図７は、本発明の実施の形態に係る食器洗い機の要部を拡大して示した断面図である。
【００１１】
図１及び図２に示すように、本実施の形態に係る食器洗い機１００は、キッチンカウンタ２００に設けられた収容部に収容されるビルトイン型である。食器洗い機１００は、他の台所設備１０１に隣接させて設けられ、システムキッチンの一部を構成するものである。台所設備１０１とは、例えばシステムキッチンを構成するキャビネット、ガスコンロ又はＩＨクッキングヒータ等である。
【００１２】
本実施の形態に係る食器洗い機１００は、図１〜図５に示すように、前面が開口された外郭を形成する筐体１と、筐体１の開口を覆う前面扉２と、筐体１の開口から内部へ出し入れ自在に設けられた洗浄槽３と、洗浄槽３内の空気を筐体１の外部へ排気するための排気口４０を有する排気経路部４と、を備えている。
【００１３】
筐体１は、前面が開口された箱形状からなり、キッチンカウンタ２００に設けられた収容部に嵌め込まれて固定されている。筐体１の内部には、図５に示すように、洗浄槽３、洗浄ポンプ１０、排水ポンプ１１、送風ファン１２、給水弁１３、及び排気経路部４が設けられている。
【００１４】
前面扉２は、図１に示すように、洗浄槽３が筐体１の内部に完全に収納された際に、筐体１の開口を覆うものである。前面扉２は、前面に上下方向に隙間Ｓを有して並列させて配置した２枚の化粧パネル２０及び２１を有している。化粧パネル２０及び２１は、食器洗い機１００に隣接する台所設備１０１の表面材である化粧面材と同一の素材、同一の色調、及び同一の図柄で構成されている。
【００１５】
上下に隣接する化粧パネル２０及び２１は、図１及び図５に示すように、隙間Ｓを設けて配置されており、対向する端縁部の間に形成される隙間ＳのラインＡが、隣接する台所設備１０１の横方向の区画ラインＢと同一の高さとなるように取り付けられている。食器洗い機１００は、化粧パネル２０及び２１のラインＡと、台所設備１０１の区画ラインＢとを統一させることで、システムキッチンの意匠性を高めることができる。
【００１６】
また、前面扉２には、上下に隣接する化粧パネル２０及び２１の間に、排気経路部４の排気口４０が設けられている。具体的には、前面扉２には、上下に隣接する化粧パネル２０及び２１の間に、筐体１の内部と外部とを連通させる貫通孔２ａが形成されている。排気経路部４は、排気口４０の部分が貫通孔２ａに嵌め込まれて、上下に隣接する化粧パネル２０及び２１の間に設けられている。つまり、排気経路部４の排気口４０は、上下に隣接する化粧パネル２０及び２１によって形成された隙間Ｓを利用して設けられている。よって、本実施の形態に係る食器洗い機１００では、洗浄槽３を引き出した際に、排気口４０が外部から目立つことがなく、前面扉２に排気口４０のためだけの空間を設ける必要もない。
【００１７】
なお、図示することは省略したが、前面扉２に設けた化粧パネルは、３枚以上で構成してもよい。化粧パネルを３枚以上で構成する場合には、排気経路部４の排気口４０を、上下に隣接する化粧パネルのうち、少なくとも一組の化粧パネル間に設けるものとする。
【００１８】
洗浄槽３は、食器類等の洗浄対象物３０を収容するものである。洗浄槽３は、図３及び図４に示すように、図示省略のレール機構によって、筐体１の開口から内部へ出し入れが自在に設置されている。レール機構は、例えば筐体１に設けた固定レールと、洗浄槽３に設けた可動レールと、で構成されている。洗浄槽３は、図５に示すように、筐体１の内部方向に所定の位置まで押し込まれると、保持機構１４により保持される。
【００１９】
洗浄槽３の内部には、洗浄対象物３０を載置させる食器かご３１が収容されている。洗浄槽３の上面には、開口部が形成されており、当該開口部を開閉する内蓋３２が設けられている。洗浄槽３は、筐体１から引き出される際に、図示省略のリンク機構によって内蓋３２が持ち上げられて内部が開放され、洗浄対象物３０の出し入れ可能となる。洗浄槽３には、排気経路部４に通じる排気孔３ａが、前面側の上部に形成されている。
【００２０】
洗浄槽３の底面には、下方へ突き出した凹部３ｂが形成されている。凹部３ｂには、例えば洗浄槽３内に貯留されている水の温度を検知する水温検知手段１５と、洗浄槽３内に貯留されている水を加熱する発熱体１６が設けられている。
【００２１】
洗浄ポンプ１０及び排水ポンプ１１は、洗浄槽３の下方に設けられている。洗浄ポンプ１０は、給水配管１０ａを介して洗浄槽３の凹部３ｂと連通しており、洗浄槽３内に貯留されている水を加圧するものである。洗浄ポンプ１０によって加圧された水は、洗浄槽３の底面に設けられた軸部１０ｂを通り、軸部１０ｂの上端に取り付けられた洗浄ノズル３３に送られて、洗浄対象物３０に向かって噴射される。排水ポンプ１１は、排水配管１１ａを介して洗浄槽３の凹部３ｂと連通しており、洗浄槽３内に貯留されている水を排水するものである。
【００２２】
送風ファン１２及び給水弁１３は、洗浄槽３の後方に配置されている。送風ファン１２は、洗浄槽３の内部に空気を供給して洗浄対象物３０を乾燥させるものである。給水弁１３は、水道水を洗浄槽３に供給するものである。
【００２３】
排気経路部４は、図５及び図６に示すように、洗浄槽３の内部の高温及び高湿の空気を外部に排出させるために設けられている。排気経路部４は、洗浄槽３の前面側と前面扉２との間に配置されている。排気経路部４は、一端が洗浄槽３の排気孔３ａと連通し、他端である排気口４０が前面扉２の隙間Ｓに設けられて外部と連通している。排気経路部４は、例えばポリプロピレン等の合成樹脂製である。
【００２４】
排気経路部４は、図７に示すように、上下に隣接する化粧パネル２０及び２１間に形成された隙間Ｓに収まる範囲に排気口４０が設けられている。排気口４０を隙間Ｓに隠して、外部から目立たなくし、食器洗い機１００の意匠性を高めるためである。また、使用者が調理又は周囲を清掃等している際に、当該衣服が排気口４０に引っ掛る事態を防止するためである。更に、排気口４０から排出された高温及び高湿の空気を、化粧パネル２０及び２１の端面を利用して周囲に発散させることなく、効率良く外部へ排気できる。
【００２５】
なお、食器洗い機１００は、上下に隣接する化粧パネル２０及び２１間の隙間Ｓに収まる範囲に排気経路部４の排気口４０を設けると、排気口４０から送風された空気が、化粧パネル２０及び２１の対向する端面に触れる量が多くなる。排気口４０から送風された高温及び高湿の空気は、化粧パネル２０及び２１の腐食の原因となる。
【００２６】
そこで、図６及び図７に示すように、排気口４０の上面及び下面には、上下に隣接する化粧パネル２０及び２１の端面が突き当たり、化粧パネル２０及び２１間に形成された隙間Ｓの間隔を調整する間隔調整部４１が設けられている。間隔調整部４１は、図６に示すように、排気口４０の上面及び下面に形成された突起であり、横方向に間隔をあけて４つずつ設けられている。間隔調整部４１である突起の大きさの分だけ、化粧パネル２０及び２１間の隙間Ｓの寸法を調整できる。よって、食器洗い機１００は、上下に隣接する化粧パネル２０及び２１の間隔Ｓを十分に確保することができるので、化粧パネル２０及び２１の端面に触れる高温及び高湿の空気の量を軽減させることができる。また、食器洗い機１００は、製造工程の組み立て作業時に、間隔調整部４１を利用して化粧パネル２０及び２１の位置決めが行えるので、作業性を向上させることもできる。
【００２７】
なお、間隔調整部４１は、上下に隣接する化粧パネル２０及び２１の端面のうち、いずれか一方にのみ突き当たる構成でもよい。つまり、排気口４０の上面又は下面のいずれか一方にのみ、間隔調整部４１である突起を設けた構成としてもよい。また、間隔調整部４１は、図示した突起に限定されず、排気口４０を形成する排気経路部４の周縁部の厚さを厚くしてもよい。更に、突起は、例えば横方向に長い形状のものを１つ設けた構成でもよい。要するに、間隔調整部４１は、化粧パネル２０及び２１間に形成された隙間Ｓの間隔を調整できれば良く、種々の態様で実施できるものである。
【００２８】
図８は、本発明の実施の形態に係る食器洗い機の変形例１の要部を拡大して示した断面図である。図８に示すように、食器洗い機１００は、排気口４０に間隔調整部４１を設けることなく実施してもよい。例えば化粧パネル２０及び２１の端面に、シート等の保護部材を設けて、化粧パネル２０及び２１を高温及び高湿の空気から保護することもできる。また、食器洗い機１００は、排気口４０の先端面が前面扉２の前面の位置となるように排気経路部４を設けることで、化粧パネル２０及び２１の端面に触れる高温及び高湿の空気の量を軽減させることもできる。
【００２９】
図９は、本発明の実施の形態に係る食器洗い機の変形例２の要部を拡大して示した断面図である。図９に示す食器洗い機１００では、排気経路部４の排気口４０が化粧パネル２０及び２１よりも前方へ突き出している。排気口４０の突き出す長さは、前面扉２の前面から例えば５ｍｍ程度である。排気口４０の突き出す長さが長すぎると、使用者が調理又は周囲を清掃等している際に、衣服が排気口４０に引っ掛るおそれがあるからである。食器洗い機１００は、排気口４０が化粧パネル２０及び２１間の隙間Ｓよりも前方へ突き出すことで、高温及び高湿の空気が化粧パネル２０及び２１の端面に触れることがないので、当該化粧パネル２０及び２１の腐食を抑制することができる。
【００３０】
本実施の形態に係る食器洗い機１００は、前面が開口された外郭を形成する筐体１と、筐体１の開口を覆う前面扉２と、筐体１の開口から内部へ出し入れ自在に設けられた洗浄槽３と、洗浄槽３内の空気を筐体１の外部へ排気するための排気口４０を有する排気経路部４と、を備えている。前面扉２は、前面に上下方向に隙間Ｓを有して並列させて配置した少なくとも２枚の化粧パネル２０及び２１を有しており、上下に隣接する化粧パネル２０及び２１のうち、少なくとも一組の化粧パネル２０及び２１間に排気経路部４の排気口４０が設けられている。
【００３１】
したがって、本実施の形態に係る食器洗い機１００は、前面扉２が上下方向に並列させて配置した少なくとも２枚の化粧パネル２０及び２１を有しているので、上下に隣接する化粧パネル２０及び２１間に形成された隙間ＳのラインＡと、食器洗い機１００に隣接させて設けられた台所設備１０１の区画ラインＢと、を一致させて統一感を持たせることができる。また、上下に隣接する化粧パネル２０及び２１のうち、少なくとも一の化粧パネル２０及び２１間に排気経路部４の排気口４０が設けられているので、洗浄槽３を引き出した際に、排気口４０が露出することがないし、前面扉２に排気口４０のためだけの空間を設ける必要もない。よって、キッチンカウンタ２００に食器洗い機１００をビルトインしても、隣接して設けられた台所設備１０１と統一感を持たせることができ、且つ排気口４０の存在が目立つことがないので、意匠性に優れている。
【００３２】
また、排気口４０は、上下に隣接する化粧パネル２０及び２１間に形成された隙間Ｓに収まる範囲に設けられている。よって、食器洗い機１００は、外部から排気口４０の存在が目立たなくなり、意匠性を高めることができる。また、使用者が調理又は周囲を清掃等している際に、衣服が排気口４０に引っ掛る事態を防止することができる。
【００３３】
排気口４０には、上下に隣接する化粧パネル２０及び２１のうち、少なくとも一方の端面が突き当たり、化粧パネル２０及び２１間に形成された隙間Ｓの間隔を調整する間隔調整部４１が設けられている。間隔調整部４１は、例えば化粧パネル２０及び２１の端面に向かって突き出す突起である。よって、食器洗い機１００は、上下に隣接する化粧パネル２０及び２１の間隔を十分に確保することができるので、排気口４０から送風された高温及び高湿の空気が化粧パネル２０及び２１の端面に触れる量を軽減させることができ、化粧パネル２０及び２１の腐食を抑制することができる。
【００３４】
また、本実施の形態に係る食器洗い機１００は、排気口４０が化粧パネル２０及び２１よりも前方へ突き出すことによって、高温及び高湿の送風が化粧パネル２０及び２１の端面に触れることがなく、化粧パネル２０及び２１の腐食を抑制することができる。
【００３５】
以上に本発明を実施の形態に基づいて説明したが、本発明は上述した実施の形態の構成に限定されるものではない。例えば、図示した食器洗い機１００の構成は、一例であって、上述した内容に限定されるものではなく、他の構成要素を含んでも同様に実施することができる。また、食器洗い機１００は、キッチンカウンタ以外の設備にビルトインされてもよいし、システムキッチンでない設備にビルトインされてもよい。要するに、本発明は、その技術的思想を逸脱しない範囲において、当業者が通常に行う設計変更及び応用のバリエーションの範囲を含むものである。
【符号の説明】
【００３６】
１  筐体、２  前面扉、２ａ  貫通孔、３  洗浄槽、３ａ  排気孔、３ｂ  凹部、４  排気経路部、１０  洗浄ポンプ、１０ａ  給水配管、１０ｂ  軸部、１１  排水ポンプ、１１ａ  排水配管、１２  送風ファン、１３  給水弁、１４  保持機構、１５  水温検知手段、１６  発熱体、２０、２１  化粧パネル、３０  洗浄対象物、３１  食器かご、３２  内蓋、３３  洗浄ノズル、４０  排気口、４１  間隔調整部、１００  食器洗い機、１０１  台所設備、２００  キッチンカウンタ。
【図１】
2020080921.tif 000003
【図２】
2020080921.tif 000004
【図３】
2020080921.tif 000005
【図４】
2020080921.tif 000006
【図５】
2020080921.tif 000007
【図６】
2020080921.tif 000008
【図７】
2020080921.tif 000009
【図８】
2020080921.tif 000010
【図９】
2020080921.tif 000011